【事件の表示】
　平成　９年特許願第２７１１０８号「画像読取装置」拒絶査定不服審判事件〔平成１１年　４月２３日出願公開，特開平１１−１１２７４５〕について，次のとおり審決する。
【結　論】
　本件審判の請求は，成り立たない。
【理　由】
１　手続の経緯・本願発明 
　本願は，平成９年１０月３日の出願であって，平成１６年４月２７日付で拒絶査定がされ，これに対して，同年６月１０日に拒絶査定不服審判が請求されるとともに，同年７月９日手続補正がなされたものである。
　上記手続補正は，請求項３について「読取特性」を「読取素子」とする補正を含むものであり，誤記の訂正を目的とするものに該当し，特許法１７条の２第４項の規定に規定する要件を満たすもので適法な補正である。
　本願の発明は，平成１６年７月９日付手続補正書の特許請求の範囲の請求項１ないし４に記載されたものと認められるところ，その請求項１に係る発明（以下「本願発明」という。）は次のとおりである。　 
　
　「【請求項１】　原稿からの反射光を光電変換により電気信号に変換する読取素子と，
　読取素子の出力電気信号を処理し画像信号を出力する画像処理回路と，
　前記の読取素子と前記の画像処理回路の部品を実装した１以上の回路基板と，
　回路基板に実装され，少なくとも読取素子の特性と，画像処理回路に関する特性を，その対象部品が搭載されている基板単位で記憶する記憶装置と，
　記憶装置に記憶された特性を基に読取素子と画像処理回路における画像の読み取りを制御する制御部と
　からなる画像読取装置。」 
 　 
２　引用例 
　これに対して，原査定の拒絶の理由に引用された文献「特開平１−１９４６５５号公報」（以下，「引用例」という。）には次の事項が記載されている。 
　（１)　「〔産業上の利用分野〕
　本発明は，小型かつ高いＳ／Ｎ比（信号対雑音比）を要求されるカラーまたは多値のファクシミリ等の画像読取り装置における密着形センサに係り，更に詳述すればセンサ固有の不均一性補正用のＲＯＭをセンサに一体的に塔載した密着形センサに関する。」（１頁左下欄１３〜１９行）　
　
　(２)　「密着形センサに搭載したＲＯＭには，あらかじめ各受光素子毎の基準出力がディジタル化されており，原稿読み取り前に前記ＲＯＭに書込まれている前記基準出力（感度および黒出力）をセンサからの出力を処理する制御板の感度出力および黒出力ＲＡＭにそれぞれ出力して記憶せしめることでそのセンサ特有の出力の不均一性を補正する。」（２頁左下欄３〜９行）
 　 
　(３)　「密着形センサには，ＲＯＭのみを搭載し，補正回路および制御回路は，装置の基板上に構成する」（３頁右上欄２〜４行） 
 　 
３　対比・判断 
　(１)　本願発明と引用例に記載された発明（以下「引用発明」という。）とを対比する。 
　引用発明は，ファクシミリ等の画像読取り装置における密着形センサに係るものであり，本願発明と同様画像読取りの技術分野に属するものである。
　また，画像読取装置においては，原稿からの反射光を光電変換により電気信号に変換すること，及び読取素子の出力電気信号を処理し画像信号を出力することは，当業者に自明の事項である。
　そして，引用例には「密着形センサに搭載したＲＯＭには，あらかじめ各受光素子毎の基準出力がディジタル化されており」と記載されていることから，引用発明の各受光素子は本願発明の読取素子に相当し，同様に，各受光素子毎の基準出力は，読取素子の特性に相当し，ＲＯＭは，本願発明の読取素子の特性を記憶する記憶装置に相当することが理解できる。
　
　また，引用例に「密着形センサには，ＲＯＭのみを搭載し，補正回路および制御回路は，装置の基板上に構成する」とあるから，引用発明の補正回路は画像処理回路に相当し，同様に，制御回路は制御部に相当する。そして，第１図の記載から，アナログ・ディジタル変換器（Ａ／ＤＣ）等が補正回路の部品であり，それらが搭載された装置の基板は，画像処理回路の部品を実装した回路基板に相当する。
　
　(２)　一致点・相違点 
　以上を踏まえると，本願発明と引用発明とは次の一致点及び相違点を有する。 
　ア　一致点 
　原稿からの反射光を光電変換により電気信号に変換する読取素子と，読取素子の出力電気信号を処理し画像信号を出力する画像処理回路と，画像処理回路の部品を実装した１以上の回路基板と，回路基板に実装され，少なくとも読取素子の特性をその対象部品が搭載されている単位で記憶する記憶装置と，記憶装置に記憶された特性を基に読取素子と画像処理回路における画像の読み取りを制御する制御部とからなる画像読取装置。
 　
　イ　相違点１
　本願発明では，読取素子が基板に実装されているのに対し，引用発明ではこの構成が明らかでない点。 
　
　ウ　相違点２
　本願発明は，回路基板に実装され，画像処理回路に関する特性をその対象部品が搭載されている基板単位で記憶する記憶装置を有するのに対し，引用発明は，画像処理回路の部品を実装した回路基板を有するが，画像処理回路に関する特性を記憶する記憶装置をその回路基板に有しない点。 
　 
　(３)　相違点の判断 
　ア　相違点１について
　引用例には，「密着形センサには，ＲＯＭのみを搭載」と記載があることから，基板との関連は記載されていないが，センサやＲＯＭを基板に実装することが普通に行われていることを考慮すると，引用発明の密着型センサやＲＯＭを基板に搭載することは，当業者が適宜実施できる事項と認められる。
　
　イ　相違点２について
　引用例には，「密着形センサに搭載したＲＯＭには，あらかじめ各受光素子毎の基準出力がディジタル化されており，原稿読み取り前に前記ＲＯＭに書込まれている前記基準出力（感度および黒出力）をセンサからの出力を処理する制御板の感度出力および黒出力ＲＡＭにそれぞれ出力して記憶せしめることでそのセンサ特有の出力の不均一性を補正する。」（２頁左下欄３〜９行）と記載されていることから，密着形センサにＲＯＭを搭載するのはセンサ特有の出力を補正するためであることが理解できる。
　さらに，引用例には，「密着形センサには，ＲＯＭのみを搭載し，補正回路および制御回路は，装置の基板上に構成するため，・・・（iv）密着型センサに不具合が生じた場合に，装置側の調整は全く必要なく，密着形センサのみ交換すれば良い。同様に，装置側に不具合が生じた場合に，密着形センサは他の装置に組込むことができる。」（３頁右上欄２〜１２行）と記載されている。
　そして，引用例の第１図によれば，装置の基板はアナログ・ディジタル変換器（Ａ／ＤＣ）等の画像処理回路の部品を搭載するものであるから，「装置側に不具合が生じた場合に，密着センサを他の装置に組み込むとき」には，他の装置の基板と，元の装置の基板とでは，画像処理回路の特性が異なっていることが考えられ，その場合に，引用例の記載に基づいて，装置の基板に，画像処理回路の特性を記憶する記憶装置を設けることは，当業者であれば容易に想到し得ることである。
　これに関連する当業者に周知な技術として，特開平８−３２８０４号公報を参照することができる。該公報の請求項４及び図１には，Ａ／Ｄ変換手段の基準電圧を増加させるための補正データが予め設定されたデータ記憶手段を，Ａ／Ｄ変換手段が搭載されたスキャナ制御基板に設ける点が記載されている。
　
４　むすび 
　したがって，本願発明は，引用例記載の発明に基づいて，当業者が容易に発明をすることができたものであり，特許法２９条２項の規定により特許を受けることができないから，本願は，他の請求項について検討するまでもなく，拒絶すべきものである。 
　よって，結論のとおり審決する。